(57)【要約】【課題】装置の傾動を妨げることなく、装置が有する電子回路が用いる基準電位の不均一を軽減して取得できる電子装置を提供する。【解決手段】  本体部と本体部に対して傾動可能な傾動部とを備え、傾動部は内部に設けられた回路基板と電気的に接続されると共に、傾動部の筐体に設けられる係合手段と回路基板と電気的に接続されると共に、筐体に設けられる支持手段とを備え、本体部は、本体部の基準電位に電気的に接続されると共に、傾動部の傾動動作時に係合手段を誘導する誘導手段と、該本体部の基準電位に電気的に接続されると共に、支持手段を回転可能に支持する被支持手段を備える。この構成によれば、回路基板は、誘導手段及び係合手段を介して基準電位を取得すると共に、被支持手段及び支持手段を介して基準電位を取得できるため、傾動部の傾動を妨げることなく基準電位の不均一を軽減して取得できる。【選択図】図３
2008300811.tif 000002
【特許請求の範囲】
【請求項１】
本体部と、
前記本体部に対して傾動可能な傾動部と、を備え、
前記傾動部は、内部に設けられた回路基板と電気的に接続されると共に、該傾動部の筐体に設けられる係合手段と、該回路基板と電気的に接続されると共に、該筐体に設けられる支持手段とを備え、
前記本体部は、該本体部の基準電位に電気的に接続されると共に、前記傾動部の傾動動作時に前記係合手段を誘導する誘導手段と、該本体部の基準電位に電気的に接続されると共に、前記支持手段を回転可能に支持する被支持手段を備えることを特徴とする電子装置。
【請求項２】
前記誘導手段及び前記被支持手段は、前記本体部のフレームと電気的に接続されていることを特徴とする請求項１に記載の電子装置。
【請求項３】
前記係合手段は、前記誘導手段との間で生じる摩擦により回転する回転手段を有することを特徴とする請求項１または２に記載の電子装置。
【請求項４】
前記係合手段は、前記回転手段を前記誘導手段に押し付ける押付手段を有することを特徴とする請求項３記載の電子装置。
【請求項５】
前記係合手段は、前記傾動部の上部近傍の両側面に設けられ、
前記支持手段は、前記傾動部の下部近傍の両側面に設けられていることを特徴とする請求項１から４に記載の電子装置。
【発明の詳細な説明】
【技術分野】
【０００１】
本発明は、フレームから基準電位を取得する電子装置に関し、特に、電子装置本体に対して傾動する装置が有する電子回路が用いる基準電位を電子装置本体から取得する電子装置に関する。
【背景技術】
【０００２】
従来から、例えば、液晶表示装置等の周辺装置を備える情報処理装置が有する構造であり、周辺装置を回動させるためだけでなく、情報処理装置を構成するフレームに対して周辺装置を構成する回路がグランドするための構造が知られている（例えば、特許文献１）。
【０００３】
この構造は、周辺装置を構成する電子回路を有するプリント板を覆い、かつプリント板と接続するシールド金具に設けられた板金と、板金に押接される一端及び情報処理装置が有するフレームの金属部に押接される他端を有するバネ板とを設けたことを特徴とする。
【特許文献１】特開平１０−１４５０６６
【発明の開示】
【発明が解決しようとする課題】
【０００４】
ところで上記のような構造では、液晶表示装置を回動させるため、電子回路を有するプリント板とフレームにバネ板を介して接する板金との接続面を十分に広くすることができないために、プリント板が有する電子回路において基準電位が不均一となる問題があった。
【０００５】
よって、本発明の目的とするところは、装置の傾動を妨げることなく、装置が有する電子回路が用いる基準電位の不均一を軽減して取得できる電子装置を提供することにある。
【課題を解決するための手段】
【０００６】
本発明に係る電子装置は、本体部と、本体部に対して傾動可能な傾動部と、を備え、傾動部は、内部に設けられた回路基板と電気的に接続されると共に、傾動部の筐体に設けられる係合手段と、回路基板と電気的に接続されると共に、筐体に設けられる支持手段とを備え、本体部は、本体部の基準電位に電気的に接続されると共に、傾動部の傾動動作時に係合手段を誘導する誘導手段と、該本体部の基準電位に電気的に接続されると共に、支持手段を回転可能に支持する被支持手段を備えることを特徴とする。
【０００７】
上記構成において、誘導手段及び被支持手段は、本体部のフレームと電気的に接続されている構成を採用できる。
【０００８】
上記構成において、係合手段は、誘導手段との間で生じる摩擦により回転する回転手段を有する構成を採用できる。
【０００９】
上記構成において、回転手段を誘導手段に押し付ける押付手段を有する構成を採用できる。
【００１０】
上記構成において、係合手段は、傾動部の上部近傍の両側面に設けられ、支持手段は、傾動部の下部近傍の両側面に設けられている構成を採用できる。
【発明の効果】
【００１１】
請求項１の構成によれば、傾動部の内部に設けられる回路基板は、本体部に設けられる誘導手段及び傾動部に設けられた係合手段を介して基準電位を取得すると共に、本体部に設けられる被支持手段及び傾動部に設けられ支持手段を介して基準電位を取得することが可能になり、複数の箇所で基準電位を取得できるため、傾動部の傾動を妨げることなく、傾動部が有する回路基板内の電子回路が用いる基準電位の不均一を軽減して取得できる。
【００１２】
請求項２の構成によれば、回路基板は、本体部に設けられる誘導手段及び傾動部に設けられ係合手段を介して本体部のフレームから五基準電位を取得できると共に、本体部に設けられる被支持手段及び傾動部に設けられた支持手段を介して本体部のフレームから基準電位を取得できる。
【００１３】
請求項３の構成によれば、係合手段が有する回転手段が回転することで係合手段を容易に移動させることができるため、傾動部を容易に傾動できる。
【００１４】
請求項４の構成によれば、回転手段が誘導手段に押付けられるために、傾動部が傾動しても安定した基準電位を取得できる。
【００１５】
請求項５の構成によれば、傾動部が有する電子回路が用いる基準電位の上下方向及び左右方向における不均一を軽減して取得できる。
【発明を実施するための最良の形態】
【００１６】
以下、本発明の最良の実施形態について、添付図面を参照しつつ説明する。
【実施例１】
【００１７】
図１は、本発明の一実施形態を示す電子装置の斜視図及び上面図である。
【００１８】
図１に示す電子装置１００は、例えば、カー・ナビゲーション装置で構成される。電子装置１００は、出力装置１０００（本体部）及び表示装置２０００（傾動部）を備える。
【００１９】
出力装置１０００は、ソフトウェア制御を実行することで、表示装置２０００が表示する情報を処理し、処理した情報を表示装置２０００へ出力する。
【００２０】
ここで、図２を参照して、ソフトウェア制御を実行するための出力装置１０００のハードウェア構成について説明する。図２は、ソフトウェア制御を実現するための出力装置１０００のハードウェア構成の一例を表す図である。
【００２１】
出力装置１０００は、例えば、ＣＰＵ（Central Processing Unit）等の演算部１００１、ＥＰＲＯＭ（Erasable Programmable Read-Only Memory）又はＥＥＰＲＯＭ（Electrically Erasable Programmable Read-Only Memory）等の読み出し専用メモリであるＲＯＭ１００２（Read-Only Memory ）、ＤＲＡＭ（Dynamic  RAM）又はＳＲＡＭ（Static  RAM）等の揮発性メモリ及びＮＶＲＡＭ（Non Volatile RAM）等の不揮発性メモリで構成されるＲＡＭ１００３（Random Access Memory）、並びにハードディスク等の外部記憶装置で構成される外部記憶部１００４で構成され、演算部１００１、ＲＯＭ１００２、ＲＡＭ１００３、及び外部記憶部１００４は互いにバス１００５によって接続している。
【００２２】
ソフトウェア制御は、ＲＯＭ１００２又は外部記憶部１００４に格納したプログラムを演算部１００１が読込み、読込んだプログラムに従って演算部１００１が演算を行うことにより上記情報処理を実行する。なお、ＲＡＭ１００３には、演算結果のデータが書き込まれ、特にＮＶＲＡＭには、電源オフ時にバックアップが必要なデータが保存される。
【００２３】
次に図３を参照して、出力装置１０００の構成について説明する。図３は、図１に示した電子装置１００の一例を表す断面図である。
【００２４】
出力装置１０００は、フレーム１１００及びパネル部１２００を備える。
フレーム１１００は、導通性を有する材料で構成される。以下、導通性を有する材料は、例えば、鉄及びアルミニウム等の金属、金属繊維を充填した樹脂、並びにポリアセチレン及びポリチオフェン類等の導電性高分子といった導通性を有する樹脂を含むとして説明するが、これに限定される訳ではなく、電子装置に通常用いられる導通性を有する他の材料を採用できる。
【００２５】
フレーム１１００は、出力装置１０００の枠組みを構成し、出力装置１０００が備える演算部１００１等を収納するケースとして機能する。また、フレーム１１００は、後述する表示装置２０００が有する回路基板に対して基準電位（ＧＮＤ）を提供することができる程度に十分に大きさを有する。
【００２６】
フレーム１１００は、右内側面において後述する接続板３１１１、及び板止３９１１と接続し、左内側面において誘導軸３９５０及び３９６０に接続する。
【００２７】
尚、フレーム１１００は、左内側面において、図示を省略するが、接続板３１１０及び板止３９１０と接続し、右内側面において誘導軸３９５１及び３９６１に接続する。
【００２８】
パネル部１２００は、導通性を有しない材料で構成される。以下、導通性を有しない材料は、例えば、天然ゴム、磁器、ガラス繊維、及びエポキシ樹脂等の導通性を有しない樹脂を含むとして説明するが、これに限定される訳ではなく、電子装置に通常用いられる導通性を有さない他の材料を採用できる。
【００２９】
ここで、パネル部１２００が導通性を有しない材料で構成されるために、表示装置２０００が有する回路基板の電子回路がフレーム１１００から基準電位を取得することが困難になる。
【００３０】
そこで、電子回路とフレーム１１００とを電気的に接続する導通性を有する接続部材をパネル部１２００に設けることとした。以下、引き続きパネル部１２００の構成について説明する。
【００３１】
パネル部１２００は、フレーム１１００に填め込まれる羽目板である。パネル部１２００の右内側面は、後述する誘導溝３１２１（誘導手段）が形成されている。誘導溝３１２１の底部には、後述する導通性を有する受止部材３１３１（誘導手段）が設置されている。
【００３２】
尚、図示を省略するが、右内側面と同様に、パネル部１２００の左内側面は誘導溝３１２０（誘導手段）が形成されており、誘導溝３１２０の底部には導通性の受止部材３１３０が設置されている。
【００３３】
ここで図４を参照して、パネル部１２００について引き続き説明を行う。図４は、図１に示した出力装置１０００の一例を表す斜視図である。
【００３４】
出力装置１０００が有するパネル部１２００は、前面から背面まで貫通した長孔１２１０、１２１１、及び１２２０を有する。尚、長孔１２１０については図示を省略している。
【００３５】
長孔１２１０はパネル部１２００の前面の左下部分に、長孔１２１１は右下部分に、長孔１２２０はパネル部１２００の中央下部分に形成されている。
【００３６】
長孔１２１０は後述する移動部材３３００（被支持手段）が挿通する孔であり、孔１２１１は後述する移動部材３３０１（被支持手段）が挿通する孔であり、孔１２２０は後述するケーブル３２００が挿通する孔である。
【００３７】
ここで図１に戻り、電子装置１００の構成について引き続き説明する。
表示装置２０００は、例えば、液晶ディスプレイで構成される。表示装置２０００は、図示を省略するが、ケーブル３２００を介して出力装置１０００に接続し、出力装置１０００が出力した情報を表示する。
【００３８】
ここで図５を参照して、表示装置２０００の構成について説明する。図５は、図１で示した表示装置２０００の表示装置２０００の一例を表す正面図及び断面図である。
【００３９】
表示装置２０００は、表示部２１００、フレーム２２００、支持部材２３００及び２３０１（支持手段）、係合部材２４００及び２４０１（係合手段）、裏板２５００、回路基板２６００、及びＴＦＴ（Thin Film Transistor）ユニット２７００を備える。
【００４０】
表示部２１００は、例えば、ガラス板又はプラスチック板等の導通性を有さず、かつ光を透過する性質を有する材料で構成される。表示部２１００は、ＴＦＴユニット２７００が発光する光を透過して、ＴＦＴユニット２７００が出力する情報を表示する。
【００４１】
尚、本実施例では、表示部２１００は、ガラス板又はプラスチック板で構成されるとして説明するが、これに限定される訳ではなく、例えば、アクリル板のように、導通性が無くかつ光を透過する性質を有する通常、電子装置を構成すると考えられる他の材質を採用することができる。
【００４２】
フレーム２２００は、導通性を有さない材料で構成される。フレーム２２００は、表示装置２０００の裏面を除く（つまり、前面、両側面、上面、及び下面）の枠組みを構成する。また、フレーム２２００は、後述する裏板２５００と接合して、表示装置２０００を構成する回路基板２６００及びＴＦＴユニット２７００を収納するケースとして機能する。
【００４３】
支持部材２３００は、導通性を有する材料で構成される。支持部材２３００の片端（以下単に、接合端という）は、表示装置２０００の左側面の下部近傍において、後述する裏板２５００に接合する。
【００４４】
尚、下部近傍とは、表示装置２０００における中心部よりも下部に位置する領域の全てを含むとする。
【００４５】
支持部材２３００の他端（以下単に、挿通端という）は、後述する移動部材３３００が有する回動孔３３５０に挿通する。これによって、移動部材３３００は、表示装置２０００の下部を回動可能に支える。
【００４６】
支持部材２３０１の構成は、支持部材２３００の構成とほぼ同様であるので、以下相違点について主に説明を行う。支持部材２３０１の接合端は、表示装置２０００の右側面の下部において後述する裏板２５００に接合する。また、支持部材２３０１の挿通端は、後述する移動部材３３０１が有する回動孔３３５１に挿通する。
【００４７】
係合部材２４００は、導通性を有する材料で構成される。係合部材２４００の片端（以下単に、接合端という）は、表示装置２０００の左側面の上部近傍において、後述する裏板２５００に接合する。
【００４８】
尚、上部近傍とは、表示装置２０００の中心部よりも上部に位置する領域の全てを含むとする。
【００４９】
係合部材２４００の他端（以下単に、係合端という）は、パネル部１２００の左内側面に形成された誘導溝３１２０と係合し、誘導溝３１２０の底部に設置された受止部材３１３０（誘導手段）に接触する。
【００５０】
尚、係合部材２４０１の構成は、係合部材２４００の構成とほぼ同様であるので、以下相違点について主に説明を行う。係合部材２４０１の接合端は、表示装置２０００の右側面の上部近傍において後述する裏板２５００に接合する。
【００５１】
また、係合部材２４０１の係合端は、パネル部１２００の右内側面に形成された誘導溝３１２１と係合し、誘導溝３１２１の底部に設置された受止部材３１３１（誘導手段）に接触する。
【００５２】
ここで図６を参照して、係合部材２４００及び２４０１の構成について引き続き説明する。図６は、係合部材２４００及び２４０１の一構成例を説明するための図である。
【００５３】
図６に示す係合部材２４００の接合端は、フレーム２２００が左側面の上部に有する貫通孔２４９０を挿通して裏板２５００に接合する。
【００５４】
係合部材２４００の係合端は、受止部材３１３０と接する面に６つの穴２４１５から２４６５と６つの回転体２４１０から２４６０（回転手段）とを有する。尚、穴２４１５から２４６５は、回転体２４１０から２４６０を回転可能に保持するように凹設された穴である。
【００５５】
回転体２４１０から２４６０は、導通性を有する材料で形成されたボールベアリングで構成される。回転体２４１０から２４６０を構成する回転体の中心より上部の一部は穴２４１５から２４６５の中に入らないが、その他の部分は穴２４１５から２４６５の中に挿入されている。
【００５６】
穴２４１５から２４６５の開口部の形状は円形状である。穴２４１５から２４６５の開口部の直径は回転体２４１０から２４６０の直径よりも小さく形成され、かつ穴２４１５から２４６５の深さは回転体２４１０から２４６０の直径よりも浅く形成されている。
【００５７】
よって、回転体２４１０から２４６０の中心よりも上部の一部は穴２４１５から２４６５から外へ突出することができるが、その他の部分は係合部材２４００の内部に留まる。
【００５８】
回転体２４１０から２４６０の上部の一部は受止部材３１３０と押接するため、係合部材２４００が移動すると、回転体２４１０から２４６０は受止部材３１３０との間で生じる摩擦を受けて回転する。
【００５９】
この構成によれば、係合部材２４００が有する回転体２４１０から２４６０が回転することで係合部材２４００を容易に移動させることができるため、表示装置２０００を容易に傾動できる。
【００６０】
尚、係合部材２４０１の構成は、図示を省略するが係合部材２４００と同様に、係合端において、穴２４１６から２４６６及び回転体２４１１から２４６１（回転手段）を有する。また、係合部材２４０１の接合端は、フレーム２２００が右側面の上部に有する貫通孔２４９１を挿通して裏板２５００に接合する。
【００６１】
ここで図７を参照して、係合部材の他の例について説明する。図７は、係合部材の他の例を表す正面図、側面図、及び断面図である。
【００６２】
図７に表す係合部材２９００は、支柱部２９９０及び回転体２９１０（回転手段）で構成される。支柱部２９９０の形状は円筒形状であり、回転体２９１０の形状は球形状である。
【００６３】
支柱部２９９０の内径は、回転体２９１０の外径よりも大きく形成されており、支柱部２９９０の内部には回転体２９１０が設置されている。
【００６４】
支柱部２９９０の上面部は、回転体２９１０の外径よりも小さく形成された円形の開口部２９７０を有する。よって、回転体２９１０の中心よりも上部の一部は支柱部２９９０の内部から外へ突出することができるが、その他の部分は支柱部２９９０の内部に留まる。
【００６５】
また、支柱部２９９０内底面は、押付部材２９８０（押付手段）と接合する。押付部材２９８０は、例えば、導通性を有する材料で形成されたコイル・スプリング等の圧縮バネで構成される。
【００６６】
押付部材２９８０の下端は支柱部２９９０内底面に接合し、押付部材２９８０の上端は回転体２９１０に押接する。押付部材２９８０の自由長は、回転体２９１０を支柱部２９９０内上面に押し付けるために必要な長さを超えるように設定されている。よって、押付部材２９８０は、回転体２９１０の中心よりも上の半球を支柱部２９９０の内部から外へ突出させる。
【００６７】
支柱部２９９０の底面部は、係合部材２９００の接合端を構成し、表示装置２０００を構成する裏板２５００の左側面の上部近傍に接合する。
【００６８】
支柱部２９９０の上面部から突出した回転体２９１０の上部の一部は、係合部材２９００の係合端を構成し、パネル部１２００の左内側面が有する誘導溝３１２０と係合し、誘導溝３１２０の底部に設置された受止部材３１３０に押接する。
【００６９】
よって、押付部材２９８０は、回転体２９１０を受止部材３１３０に押付ける。この構成によれば、回転体２９１０が受止部材３１３０に押付けられるために、表示装置２０００が傾動しても回路基板２６００が安定した基準電位を取得できる。
【００７０】
ここで、回転体２９１０の上部の一部は受止部材３１３０と押接するため、係合部材２９００が移動すると、回転体２９１０は、受止部材３１３０との間で生じる摩擦を受けて回転する。
【００７１】
この構成によれば、係合部材２９００が有する回転体２９１０が回転することで係合部材２９００を容易に移動させることができるため、傾動部である表示装置２０００を容易に傾動できる。
【００７２】
またこれらの構成によれば、押付部材２９８０が弾性を有するため、係合部材２９００を有する表示装置２０００が傾動する際に、表示装置２０００に生じる衝撃及び出力装置１０００に与える衝撃を軽減できる。
【００７３】
尚、係合部材２９０１の構成は、係合部材２９００の構成と同様であるため詳細な説明を省略する。係合部材２９０１は、図示を省略するが係合部材２９００と同様に、回転体２９１１及び支柱部２９９１で構成される。また、支柱部２９９１の上面は開口部２９７１を有し、支柱部２９９１の内部には押付部材２９８１が設置されている。
【００７４】
ここで図５に戻り、表示装置２０００の構成について引き続き説明する。
裏板２５００は、導通性を有する材料で構成される。裏板２５００は、図示を省略するが、裏板２５００の前面から背面まで貫通した貫通孔を有する。裏板２５００が有する貫通孔は、ケーブル３２００が挿通する孔である。貫通孔の孔口は、裏板２５００の前面（及び背面）の中央下部に位置する。
【００７５】
裏板２５００の左側面は、下部近傍で支持部材２３００の接合端と接合し、上部近傍で係合部材２４００の接合端と接合する。同様に、裏板２５００の右側面は、下部近傍で支持部材２３０１の接合端と接合し、上部近傍で係合部材２４０１の接合端と接合する。
【００７６】
これにより、裏板２５００は、両側面で接合する支持部材２３００及び２３０１、並びに係合部材２４００及び係合部材２４０１を介して出力装置１０００が有するフレーム１１００から基準電位を取得できる。
【００７７】
裏板２５００の前面には、裏板２５００と電気的に接続される回路基板２６００が設置されている。裏板２５００は、取得した基準電位を回路基板２６００へ提供する。また、裏板２５００の前面は、設置された回路基板２６００を覆うフレーム２２００と接続し、回路基板２６００及び回路基板２６００が有するＴＦＴユニット２７００を収納するケースとして機能する。
【００７８】
回路基板２６００は、裏板２５００の前面に設置され、ＴＦＴユニット２７００を有している。回路基板２６００は、裏板２５００が有する貫通孔を挿通したケーブル３２００と接続する。ケーブル３２００から出力装置１０００が出力した情報を取得し、取得した情報をＴＦＴユニット２７００へ出力する。
【００７９】
ここで、ケーブル３２００は、後述するように導通性を有し、導通性を有さないパネル部１２００に形成された長孔１２２０を挿通して出力装置１０００が有するフレーム１１００に電気的に接続する。このため、回路基板２６００は、ケーブル３２００から基準電位を取得することができる。
【００８０】
ここで、回路基板２６００が設置される導通性の裏板２５００の両側面で接合する支持部材２３００及び２３０１、並びに係合部材２４００及び係合部材２４０１が導通性を有しない場合には、裏板２５００を介してフレーム１１００から基準電位を取得できない。
【００８１】
このような場合には、ケーブル３２００と接続する回路基板２６００の接続部分が１点であるために、接続部分の周辺部分において使用する基準電位と、接続部分から離れた部分において使用する基準電位との間に電位差が生じ易く、均一な基準電位を取得できない。
【００８２】
そこで本実施例では、回路基板２６００が設置される導通性の裏板２５００の両側面で接合する支持部材２３００及び２３０１、並びに係合部材２４００及び係合部材２４０１を構成する材料を、導通性を有する材料とした。
【００８３】
この構成により、回路基板２６００は、裏板２５００及び裏板２５００に接合する導通性の支持部材２３００及び２３０１、並びに導通性の係合部材２４００及び係合部材２４０１を介してフレーム１１００から電子回路であるＴＦＴユニット２７００が用いる基準電位を取得できる。
【００８４】
またこの構成により、表示装置２０００の下部近傍を支持する支持部材２３００及び２３０１と上部近傍に設置される係合部材２４００及び係合部材２４０１とを介して基準電位を取得するため、表示装置２０００の傾動を妨げることなく、表示装置２０００が有する電子回路２７００が用いる基準電位の上下方向における不均一を軽減して取得できる。
【００８５】
更にこの構成により、表示装置２０００の両側面を支持する支持部材２３００及び２３０１と両側面に設置される係合部材２４００及び係合部材２４０１とを介して基準電位を取得するため、表示装置２０００の傾動を妨げることなく、表示装置２０００が有する電子回路が用いる基準電位の左右方向における不均一を軽減して取得できる。
【００８６】
ＴＦＴユニット２７００は、例えば、薄膜トランジスタ（Thin Film Transistor）等の表示装置２０００が備える電子回路で構成される。ＴＦＴユニット２７００は、回路基板２６００上に設置され、回路基板２６００から基準電位を取得する。
【００８７】
また、ＴＦＴユニット２７００は、回路基板２６００から出力装置１０００が出力した情報を取得し、取得した情報を液晶表示する。
【００８８】
ここで再度図３を参照して、出力装置１０００と表示装置２０００とを接続する接続部材について説明する。
接続板３１１１は、導通性を有する材料で構成された板であり、受止部材３１３１と出力装置１０００のフレーム１１００の右側面とを接続する。接続板３１１１は、フレーム１１００に螺着される板止３９１１によってフレーム１１００に押接される。
【００８９】
尚、図示は省略するが、接続板３１１０の構成は接続板３１１１と同様であり、接続板３１１０は受止部材３１３０と出力装置１０００のフレーム１１００の左側面とを接続する。接続板３１１０は、板止３９１０によってフレーム１１００に押接される。
【００９０】
受止部材３１３１は、導通性を有する材料で構成される。受止部材３１３１は、誘導溝３１２１の底部に設置される板状の部材であり、誘導溝３１２１に係合する係合部材２４０１と接触する。
【００９１】
また、受止部材３１３１は、接続板３１１１に接続するために、接続板３１１１を介して出力装置１０００が有するフレーム１１００と電気的に接続することになる。
【００９２】
この構成によれば、受止部材３１３１及び接続板３１１１が導通性を有するために、誘導溝３１２１を有する部材であるパネル部１２００が導通性を有しない場合であっても、回路基板２６００は、係合部材２４０１を受止る受止部材３１３１を介してフレーム１１００から基準電位を取得できる。
【００９３】
尚、図示を省略するが、受止部材３１３０の構成は受止部材３１３１の構成と同様であり、接続板３１１０と接続し、誘導溝３１２０の底部に設置され、誘導溝３１２０に係合する係合部材２４００と接触する。
【００９４】
ここで、パネル部１２００、接続板３１１１、誘導溝３１２１、及び受止部材３１３１の一部で構成される部分をＡ部とよぶ。よって図８を参照して、図３に示すＡ部について説明する。図８は、図３に示すＡ部の部分拡大図及び断面図である。
【００９５】
図８に示すように、パネル部１２００は、係合部材２４０１の移動方向を上下方向という所定の方向へ誘導する誘導溝３１２１を有する。つまり誘導溝３１２１は、係合部材２４０１が接合する表示装置２０００の上部の移動を所定方向に誘導する。
【００９６】
誘導溝３１２１の底部には、受止部材３１３１が設置されている。受止部材３１３１は、接続板３１１１に接続する。接続板３１１１は、パネル部１２００の内部に設置され、図示を省略するが出力装置１０００の有するフレーム１１００及び受止部材３１３１に接続する。
【００９７】
係合部材２４０１の係合端は、誘導溝３１２１に係合し、誘導溝３１２１の底部に設置された受止部材３１３１に接触する。係合部材２４０１の係合端は回転体２４１１から２４６１を有する。回転体２４１１から２４６１は受止部材３１３１に押接され、係合部材２４０１が上下方向に移動することで受止部材３１３１との間に生じる摩擦を受けて回転する。
【００９８】
パネル部１２００は導通性を有しないが、それぞれ互いに押接する係合部材２４０１、係合部材２４０１を構成する回転体２４１１から２４６１、及び受止部材３１３１、並びに受止部材３１３１とフレーム１１００とを接続する接続板３１１１が導通性を有する。
【００９９】
この構成によれば、係合部材２４００を有する表示装置２０００は、係合部材２４００を介してフレーム１１００から基準電位を取得できる。
【０１００】
尚、係合部材２４００、接続板３１１０、及び受止部材３１３０の構成は、係合部材２４０１、接続板３１１１、及び受止部材３１３１の構成とほぼ同様であるので説明を省略する。
【０１０１】
ここで図３に戻り、出力装置１０００と表示装置２０００とを接続する部材について引き続き説明を行う。
ケーブル３２００は、例えば、フレキケーブルで構成される。ケーブル３２００は、図示を省略するが、表示装置２０００と出力装置１０００とを接続する。ケーブル３２００は、導通性を有し、出力装置１０００が出力する情報を電気信号として表示装置２０００へ出力する。
【０１０２】
また、ケーブル３２００は、出力装置１０００が有するフレーム１１００にも接続する。ケーブル３２００は、フレーム１１００から基準電位を取得し、取得した基準電位を表示装置２０００へ提供する。
【０１０３】
移動部材３３００は、導通性を有する材料で構成される。移動部材３３００は、図示を省略するが、例えば、電気モータ等で構成される駆動装置によって駆動される。
【０１０４】
移動部材３３００は、誘導孔３３１０及び３３２０、並びに回動孔３３５０を有する。誘導孔３３１０及び３３２０は、移動部材３３００の移動方向を前後方向へ誘導するように形成された長孔であり、誘導軸３９５０及び３９６０が挿通する孔である。
【０１０５】
移動部材３３００は、誘導軸３９５０及び３９６０を介して出力装置１０００が有するフレーム１１００の左内側面に電気的に接続する。また移動部材３３００は、誘導孔３３１０及び３３２０と誘導軸３９５０及び３９６０とによって、上下方向の位置を定められ、移動方向を前後方向に定められ、かつ移動距離を誘導孔３３１０及び３３２０の長さで決まる距離に定められる。
【０１０６】
回動孔３３５０は、表示装置２０００の左側面の下部近傍を回動可能に保持するように形成された孔であり、表示装置２０００が有する支持部材２３００が挿通する孔である。移動部材３３００は、前後に移動することで、表示装置２０００を傾動させながら表示装置２０００の下部近傍を前後方向に移動させる。
【０１０７】
ここで、移動部材３３００及び誘導軸３９５０は導通性を有するため、支持部材２３００を有する表示装置２０００は、支持部材２３００を介してフレーム１１００から基準電位を取得できる。
【０１０８】
尚、図示を省略するが、移動部材３３０１の構成は、移動部材３３００の構成とほぼ同様であるので詳細な説明を省略する。移動部材３３０１は、誘導孔３３１１及び３３２１、回動孔３３５１を有し、誘導軸３９５１及び３９６１を介して出力装置１０００が有するフレーム１１００の右内側面に電気的に接続する。
【０１０９】
板止３９１１は、導通性を有する材料で構成される。板止３９１１は、例えば、ネジで構成され、フレーム１１００の右内側面に螺着される。また、板止３９１１は、フレーム１１００に螺着されることで、接続板３１１１をフレーム１１００に押接させる。
【０１１０】
尚、図示を省略するが、板止３９１０の構成は板止３９１１の構成と同様であり、フレーム１１００の左内側面に螺着されることで、接続板３１１０をフレーム１１００に押接させる。
【０１１１】
誘導軸３９５０及び３９６０は、導通性を有する材料で構成される。誘導軸３９５０及び３９６０は、例えば、ネジ等で構成され、移動部材３３００が有する誘導孔３３１０及び３３２０を挿通してフレーム１１００に螺着する。誘導軸３９５０及び３９６０は、移動部材３３００の上下方向の位置、移動方向、及び移動距離（以下単に、移動方向等という）を定める。
【０１１２】
尚、図示を省略するが、誘導軸３９５１及び３９６１の構成は誘導軸３９５０及び３９６０の構成と同様であり、フレーム１１００の右内側面に螺着されることで、移動部材３３００の移動方向等を定める。
【０１１３】
本実施例では、表示装置２０００は液晶パネルを有し、液晶パネルに情報を表示するとして説明したが、これに限定される訳ではなく、例えば、ＣＲＴ（Cathode Ray Tube）又はプラズマディスプレイを有し、ＣＲＴ又はプラズマディスプレイに情報を表示する構成を採用できる。
【０１１４】
本実施例では、パネル部１２００は導通性を有しない材料で構成され、かつパネル部１２００に形成された誘導溝３１２０及び３１２１の底部に導通性を有する受止部材３１３０及び３１３１が設置され、受止部材３１３０及び３１３１は導通性を有する接続板３１１０及び３１１１を介してフレーム１１００に接続する場合について説明したが、これに限定される訳ではない。
【０１１５】
例えば、パネル部１２００は導通性を有する材料で構成され、電子装置１００は、受止部材３１３０及び３１３１、並びに接続板３１１０及び３１１１を有さない構成を採用できる。
【０１１６】
この構成によれば、パネル部１２００に受止部材３１３０及び３１３１を設置しなくとも、表示装置２０００を構成する回路基板２６００は、パネル部１２００を介してフレーム１１００から基準電位を取得できる。
【０１１７】
また、本実施例では、裏板２５００を導通性を有する材料で構成したが、裏板
を導通性を有しな材料で構成し、係合部材、支持部材を回路基板に電気的に接
続するようにしても同様の効果が得られる。
【０１１８】
更に、本実施例では、移動部材に回動孔を、表示装置に支持部材を設けたが、移動部材に支持部材を、表示装置に回動孔を設けるようにしてもよい。
【０１１９】
本実施例においては、支持部材２３００及び２３０１が支持手段に相当し、係合部材２４００、２４０１、２９００、及び２９０１が係合手段に相当し、回転体２４１０から２４６０、２４１１から２４６１、２９１０、及び２９１１が回転手段に相当し、押付部材２９８０及び２９８１が押付手段に相当し、誘導溝３１２０及び３１２１並びに受止部材３１３０及び３１３１が誘導手段に相当し、移動部材３３００及び３３０１が被支持手段に相当する。
【０１２０】
この構成によれば、傾動部である表示装置２０００の内部に設けられる回路基板２６００は、本体部である出力装置１０００に設けられる誘導手段である誘導溝３１２０及び３１２１、並びに受止部材３１３０及び３１３１、並びに傾動部である表示装置２０００に設けられた係合手段である係合部材２９００及び２９０１を介して基準電位を取得すると共に、本体部１０００に設けられる被支持手段である移動部材３３００，３３０１及び傾動部２０００に設けられ支持手段である支持部材２３００，２３０１を介して基準電位を取得することが可能になり、複数の箇所で基準電位を取得できるため、傾動部２０００の傾動を妨げることなく、傾動部２０００が有する回路基板２６００内の電子回路２７００が用いる基準電位の不均一を軽減して取得できる。
【０１２１】
更にこの構成によれば、回路基板２６００は、本体部１０００に設けられる誘導手段である誘導溝３１２０及び３１２１、並びに受止部材３１３０及び３１３１並びに傾動部である表示装置２０００に設けられた係合手段である係合部材２９００及び２９０１を介して本体部１０００のフレーム１１００から五基準電位を取得できると共に、本体部１０００に設けられる被支持手段である移動部材３３００，３３０１及び傾動部２０００に設けられた支持手段である支持部材２３００，２３０１を介して本体部１０００のフレーム１１００から基準電位を取得できる。
【０１２２】
以下、本発明の第２の実施形態について図面を参酌しながら説明する。
【実施例２】
【０１２３】
第２の実施例においては、板バネで構成される係合部材を有する電子装置の実施例について説明する。
【０１２４】
先ず、図９を参照して、本実施例における電子装置の構成について説明する。図９は、実施例２における電子装置の一構成例を表す斜視図である。
【０１２５】
図９に示す電子装置２００は、出力装置４０００（本体部）及び表示装置５０００（傾動部）で構成される。出力装置４０００及び表示装置５０００の構成は、実施例１で説明した出力装置１０００及び表示装置２０００とほぼ同様の構成を有するため、以下、主に相違点について説明する。
【０１２６】
ここで図１０を参照して、出力装置４０００の構成について説明する。図１０は、図９に示した電子装置２００の一例を表す断面図である。
【０１２７】
出力装置４０００は、フレーム４１００及びパネル部４２００で構成される。
フレーム４１００は、導通性を有する材料で構成される。パネル部４２００は、導通性を有しない材料で構成される。
【０１２８】
パネル部４２００の右内側面は、実施例１で説明したパネル部１２００と異なり、誘導溝３１２１に相当する溝が形成されていないが、パネル部４２００の前面に誘導溝６１２０及び、図示を省略するが、６１２１（誘導手段）が形成されている。
【０１２９】
また、誘導溝６１２０及び６１２１の底部には、後述する導通性の受止部材６１３０及び、図示を省略するが、６１３１（誘導手段）が設置されている。尚、図示を省略するが、パネル部４２００の左内側面も同様に、誘導溝３１２０に相当する溝が形成されていない。
【０１３０】
ここで図１１を参照して、パネル部４２００について引き続き説明を行う。図１１は、図９に示した出力装置４０００の一例を表す斜視図である。
【０１３１】
図１１に示すように、パネル部４２００の前面左側に誘導溝６１２０が形成され、前面右側に誘導溝６１２１が形成されている。誘導溝６１２０及び誘導溝６１２１は、それぞれ上下方向という所定方向に表示装置５０００が移動するように誘導する溝であり、それぞれほぼ平行な上下方向にのびる溝として形成されている。
【０１３２】
次に図１２を参照して、表示装置５０００の構成について説明する。図１２は、図９に示した表示装置５０００の一例を表す背面図及び断面図である。
【０１３３】
表示装置５０００は、表示部５１００、フレーム５２００、支持部材５３００及び５３０１、係合部材５４００及び５４０１（係合手段）、裏板５５００、回路基板５６００、及びＴＦＴ（Thin Film Transistor）ユニット５７００で構成される。
【０１３４】
表示部５１００、フレーム５２００、支持部材５３００及び５３０１、回路基板５６００、及びＴＦＴユニット５７００の接続及び構成は、実施例１で説明した表示部２１００、フレーム２２００、支持部材２３００及び２３０１、回路基板２６００、及びＴＦＴユニット２７００の接続及び構成とほぼ同様であるので説明を省略し、係合部材５４００及び５４０１、並びに裏板５５００の構成及び接続について主に説明する。
【０１３５】
係合部材５４００は、導通性を有する材料で形成された板バネで構成される。係合部材５４００の接合端は、表示装置５０００の裏面の上部左側において、後述する裏板５５００に接合する。係合部材５４００の係合端は、パネル部４２００の前面左側に形成された誘導溝６１２０と係合する。係合部材５４００の係合端は、表示装置５０００の自重を受けて誘導溝６１２０の底部に設置された受止部材６１３０に押接される。
【０１３６】
係合部材５４０１の構成は、係合部材５４００の構成とほぼ同様であるので、以下相違点について主に説明を行う。係合部材５４０１の接合端は、表示装置５０００の裏面右側の上部右側において後述する裏板５５００に接合する。係合部材５４０１の係合端は、パネル部４２００の前面右側に形成された誘導溝６１２１と係合し、誘導溝６１２１の底部に設置された受止部材６１３１に押接される。
【０１３７】
裏板５５００は、導通性を有する材料で構成される。裏板５５００の左側面は、下部で支持部材５３００の接合端と接合し、裏面の上部左側で係合部材５４００の接合端と接合する。同様に、裏板５５００の右側面は、下部で支持部材５３０１の接合端と接合し、裏面の上部右側で係合部材５４０１の接合端と接合する。
【０１３８】
これにより、裏板５５００は、側面の下部で接合する支持部材５３００及び５３０１、並びに裏面の上部で接合する係合部材５４００及び係合部材５４０１を介して出力装置４０００が有するフレーム４１００から基準電位を取得できる。
【０１３９】
この構成によれば、表示装置５０００の傾動を妨げることなく、表示装置５０００が有する電子回路５７００が用いる基準電位の上下方向における不均一を軽減して取得できる。
【０１４０】
ここで再度図９を参照して、出力装置４０００と表示装置５０００とを接続する接続部材について説明する。
電子装置２００が有する接続部材の構成及び接続は、実施例１で説明した接続部材の構成及び接続とほぼ同様であるので、以下、主に相違点について説明する。
【０１４１】
接続板６１１０及び６１１１の構成及び接続は、実施例１で説明した接続板３１１０及び接続板３１１１の構成及び接続とほぼ同様である。しかし、接続板６１１０及び接続板６１１１が接続する受止部材６１３０及び６１３１は、パネル部４２００の前面に形成された誘導溝６１２０及び６１２１の底部に設置される点で実施例１と異なる。
【０１４２】
受止部材６１３０及び６１３１の構成及び接続は、実施例１で説明した受止部材３１３０及び３１３１の構成及び接続とほぼ同様である。受止部材６１３０及び６１３１は、表示装置５０００の自重により押接される係合部材５４００及び５４０１と接触する。
【０１４３】
ここで図１０に示すように、パネル部４２００、接続板６１１０、誘導溝６１２０、及び受止部材６１３０の一部で構成される部分をＡ２部とよぶ。よって図１３を参照して、図１０に示すＡ２部について説明する。図１３は、図１０に示すＡ２部の部分拡大図及び断面図である。
【０１４４】
図１３に示すように、パネル部４２００は誘導溝６１２０を有する。誘導溝６１２０の底部には、受止部材６１３０が設置されている。受止部材６１３０は、接続板６１１０に接続する。接続板６１１０は、パネル部４２００の内部に設置され、図示を省略するが出力装置４０００の有するフレーム４１００の左内側面及び受止部材６１３０に接続する。
【０１４５】
係合部材５４００の係合端は、誘導溝６１２０に係合し、誘導溝６１２０の底部に設置された受止部材６１３０と接触する。
【０１４６】
パネル部４２００は導通性を有しないが、それぞれ互いに押接する係合部材５４００及び受止部材６１３０、並びに受止部材６１３０とフレーム４１００とを接続する接続板６１１０が導通性を有する。
【０１４７】
この構成によれば、係合部材５４００を有する表示装置５０００は、係合部材５４００を介してフレーム４１００から基準電位を取得できる。
【０１４８】
尚、係合部材５４００の係合端は、実施例１と異なり回転体２４１０から２４６０を有しない。また係合部材５４００の係合端は、受止部材６１３０と面接触する。
【０１４９】
この構成によれば、係合部材５４００が受止部材６１３０と面接触するために、電子回路５７００が用いる基準電位の不均一を軽減できる。
【０１５０】
またこれらの構成によれば、係合部材５４００が弾性を有するため、係合部材５４００を有する表示装置５０００が傾動する際に、表示装置５０００に生じる衝撃及び出力装置４０００に与える衝撃を軽減できる。
【０１５１】
更にこれらの構成によれば、係合部材５４００が表示装置５０００の自重により受止部材６１３０に押接されるために、表示装置５０００が傾動しても、回路基板５６００が安定した基準電位を取得できる。
【０１５２】
尚、係合部材５４０１、接続板６１１１、及び受止部材６１３１の構成は、係合部材５４００、接続板６１１０、及び受止部材６１３０の構成とほぼ同様であるので説明を省略する。
【０１５３】
ここで図１０に戻り、出力装置４０００と表示装置５０００とを接続する接続部材について引き続き説明を行う。
ケーブル６２００、移動部材６３００及び６３０１、板止６９１０及び６９１１、誘導軸６９５０、６９６０、６９５１、及び６９６１は、導通性を有する材料で構成され、実施例１で説明したケーブル３２００、移動部材３３００及び３３０１、板止３９１０及び３９１１、誘導軸３９５０、３９６０、３９５１、及び３９６１と同様の構成及び接続を有するため説明を省略する。
【０１５４】
本実施例では、係合部材５４００及び５４０１はパネル部４２００に形成された誘導溝６１２０及び６１２１に係合し、誘導溝６１２０及び６１２１の底部に受止部材６１３０及び６１３１が設置され、係合部材５４００及び５４０１は受止部材６１３０及び６１３１と接触することで受止部材６１３０及び６１３１と接続された接続板６１１０を介してフレーム４１００に接続する場合について説明したが、これに限定される訳ではない。
【０１５５】
例えば、電子装置２００は受止部材６１３０及び６１３１並びに接続板６１１０及び６１１１を有さず、パネル部４２００は表示装置５０００の上部の移動を所定方向に誘導する貫通孔を有し、係合部材５４００はパネル部４２００が有する貫通孔を挿通してフレーム４１００によって直接に受け止められる構成を採用できる。
【０１５６】
つまり、係合部材５４００は、パネル部４２００に形成された貫通孔と底部として機能するフレーム４１００とで構成される誘導溝に係合する構成を採用できる。
【０１５７】
この構成によれば、パネル部４２００に受止部材６１３０及び６１３１を設置しなくとも、表示装置２０００を構成する回路基板５６００は、パネル部４２００を介してフレーム４１００から基準電位を取得できる。
【０１５８】
本実施例では、パネル部４２００は導通性を有しない材料で構成され、かつパネル部４２００に形成された誘導溝６１２０及び６１２１の底部に導通性を有する受止部材６１３０及び６１３１が設置され、受止部材６１３０及び６１３１は導通性を有する接続板６１１０及び６１１１を介してフレーム４１００に接続する場合について説明したが、これに限定される訳ではない。
【０１５９】
例えば、パネル部４２００は導通性を有する材料で構成され、電子装置２００は受止部材６１３０及び６１３１、並びに接続板６１１０及び６１１１を有さない構成を採用できる。
【０１６０】
この構成によれば、パネル部４２００に受止部材６１３０及び６１３１を設置しなくとも、表示装置５０００を構成する回路基板５６００は、パネル部４２００を介してフレーム４１００から基準電位を取得できる。
【０１６１】
本実施例では、パネル部４２００の内側面は誘導溝が形成されておらず、表示装置５０００の裏板５５００は両側面上部において係合部材が接合しないとして説明したが、これに限定される訳ではない。
【０１６２】
例えば、実施例１で説明したように、パネル部４２００の両内側面は誘導溝３１２０及び３１２１に相当する溝を有し、誘導溝３１２０及び３１２１に相当する溝の底部に導通性を有する受止部材及び３１３０及び３１３１に相当する部材を設置し、受止部材３１３０及び３１３１に相当する部材は導通性を有する接続板３１１０及び３１１１に相当する板を介してフレーム４１００に接続する構成であり、かつ表示装置５０００の裏板５５００は、係合部材５４００及び５４０１のみならず、両側面上部において係合部材２４００及び２４０１に相当する部材と接合する構成を採用できる。
【０１６３】
また、実施例１で説明したように、裏板を導通性を有しない材料で構成し、支持部材及び係合部材を回路基板に対して電気的に接続するようにしてもよい。
【０１６４】
本実施例においては、支持部材５３００及び５３０１が支持手段に相当し、係合部材５４００及び５４０１が係合手段に相当し、誘導溝６１２０及び６１２１並びに受止部材６１３０及び６１３１が誘導手段に相当し、移動部材６３００及び６３０１が被支持手段に相当する。
【０１６５】
以下、本発明の第３の実施形態について図面を参酌しながら説明する。
【実施例３】
【０１６６】
第３の実施例においては、誘導溝を構成する誘導部材を有する電子装置の一例について説明する。
【０１６７】
先ず、図１４を参照して、本実施例における電子装置の構成について説明する。図１４は、実施例３における電子装置の一構成例を表す斜視図である。
【０１６８】
図１４に示す電子装置３００は、出力装置７０００（本体部）及び表示装置８０００（傾動部）で構成される。出力装置７０００及び表示装置８０００の構成は、実施例１で説明した出力装置１０００及び表示装置２０００とほぼ同様の構成を有するため、以下、主に相違点について説明する。
【０１６９】
ここで図１５を参照して、出力装置７０００の構成について説明する。図１５は、図１４に示した電子装置３００の一例を表す断面図である。
【０１７０】
出力装置７０００は、フレーム７１００及びパネル部７２００で構成される。
フレーム７１００は、導通性を有する材料で構成される。パネル部７２００は、導通性を有しない材料で構成される。
【０１７１】
パネル部７２００の右内側面は、誘導溝を構成する誘導部材９１４１（誘導手段）と共に誘導溝９１２１（誘導手段）を形成する。尚、実施例１と異なり、誘導溝９１３１の底部には受止部材が設置されていない。
【０１７２】
尚、図示を省略するが、パネル部７２００の左内側面も同様に、後述する誘導部材９１４０（誘導手段）と共に誘導溝９１２０（誘導手段）を形成する。また同様に、誘導溝９１２１の底部には受止部材が設置されていない。
【０１７３】
次に図１５を参照したまま、出力装置７０００と表示装置８０００とを接続する接続部材について説明する。
電子装置３００が有する接続部材の構成及び接続は、実施例１で説明した接続部材の構成及び接続とほぼ同様であるので、以下、主に相違点について説明する。
【０１７４】
接続板９１１１は、導通性を有する材料で構成され、誘導部材９１４１と出力装置７０００のフレーム７１００の右内側面とを接続する。
【０１７５】
誘導部材９１４１は、導通性を有する材料で構成され、係合部材８４０１が挿通する長孔を有する。誘導部材９１４１が有する長孔は、係合部材８４０１の移動を上下方向という所定方向に誘導する孔である。つまり、誘導部材９１４１が有する長孔は、表示装置８０００の上部の移動を所定方向に誘導する孔でもある。
【０１７６】
よって、誘導部材９１４１は、パネル部７２００が有する溝と共に、表示装置８０００の上部の移動を所定方向に誘導する誘導溝９１２０を構成する。
【０１７７】
ここで、パネル部７２００、接続板９１１１、及び誘導部材９１４１の一部で構成される部分をＡ３部とよぶ。よって図１６を参照して、図１５に示すＡ３部について説明する。図１６は、図１５に示すＡ３部の部分拡大図及び断面図である。
【０１７８】
図１６に示すように、パネル部７２００は溝７２１０を有する。パネル部７２００が有する溝７２１０は、誘導部材９１４１と共に、誘導溝９１２１を構成する。誘導部材９１４１は、接続板９１１１に接続する。接続板９１１１は、パネル部７２００の左内側面に設置され、図示を省略するが出力装置７０００の有するフレーム７１００及び誘導部材９１４１に接続する。
【０１７９】
係合部材８４０１は、導通性を有するボルトで構成される。係合部材８４０１は、誘導部材９１４１が構成する誘導溝９１２１に係合する。
【０１８０】
また係合部材８４０１は、ナット８４１１と螺合することで、誘導部材９１４１が有する長孔を挿通した状態のまま誘導部材９１４１と押接する。
【０１８１】
この構成によれば、係合部材８４０１は、ナット８４１１と螺合することで誘導部材９１４１と押接するため、表示装置８０００が傾動しても、回路基板が安定した基準電位を取得できる。
【０１８２】
また、パネル部７２００は導通性を有しないが、それぞれ互いに押接する係合部材８４０１及び誘導部材９１４１、並びに誘導部材９１４１とフレーム７１００とを接続する接続板９１１１が導通性を有する。
【０１８３】
この構成によれば、係合部材８４０１を有する表示装置８０００は、係合部材８４０１を介してフレーム７１００から基準電位を取得できる。
【０１８４】
尚、図示を省略するが、係合部材８４００の構成は、係合部材８４０１の構成と同様であり、ナット８４１０と螺合することで誘導部材９１４０と押接する。
【０１８５】
また、図示を省略するが、パネル部７２００、パネル部７２００が有する溝７２１０、接続板９１１０、誘導部材９１４０、及びフレーム７１００の関係は、既に述べたパネル部７２００、パネル部７２００が有する溝７２１０、接続板９１１１、及び誘導部材９１４１の関係と同様であるので説明を省略する。
【０１８６】
ここで図１５に戻り、出力装置７０００と表示装置８０００とを接続する部材について引き続き説明を行う。
ケーブル９２００、移動部材９３００及び９３０１、板止９９１０及び９９１１、並びに誘導軸９９５０、９９６０、９９５１、及び９９６１は、導通性を有する材料で構成され、実施例１で説明したケーブル３２００、移動部材３３００及び３３０１、板止３９１０及び３９１１、並びに誘導軸３９５０、３９６０、３９５１、及び３９６１と同様の構成及び接続を有するため説明を省略する。
【０１８７】
本実施例では、パネル部７２００は、導通性を有しない材料で構成され、かつ誘導部材９１４０及び９１４１は、導通性を有する接続板９１１０及び９１１１を介してフレーム７１００に接続する場合について説明したが、これに限定される訳ではない。
【０１８８】
例えば、パネル部７２００は導通性を有する材料で構成され、電子装置３００は接続板９１１０及び９１１１を有さない構成を採用できる。
【０１８９】
この構成によれば、電子装置３００が接続板９１１０及び９１１１を有さなくとも、表示装置８０００を構成する回路基板は、パネル部７２００を介してフレーム７１００から基準電位を取得できる。
【０１９０】
本実施例では、パネル部７２００の前面は誘導溝が形成されておらず、表示装置５０００の裏板の裏面に係合部材が接合しないとして説明したが、これに限定される訳ではない。
【０１９１】
例えば、実施例２で説明したように、パネル部７２００の前面は誘導溝６１２０及び６１２１に相当する溝を有し、誘導溝６１２０及び６１２１に相当する溝の底部に導通性を有する受止部材６１３０及び６１３１に相当する部材を設置し、受止部材６１３０及び６１３１に相当する部材は導通性を有する接続板６１１０及び６１１１に相当する板を介してフレーム７１００に接続する構成であり、かつ表示装置８０００の裏板８５００は、係合部材８４００及び８４０１のみならず、裏面上部に係合部材５４００及び５４０１に相当する部材と接合する構成を採用できる。
【０１９２】
また、実施例１、２で説明したように、基板を導通性を有しない材料で構成し、支持部材及び係合部材を回路基板に対して電気的に接続するようにしてもよい。
【０１９３】
本実施例においては、支持部材８３００及び８３０１が支持手段に相当し、係合部材８４００及び８４０１が係合手段に相当し、誘導溝９１２０及び９１２１並びに誘導部材９１４０及び９１４１が誘導手段に相当し、移動部材６３００及び６３０１が被支持手段に相当する。
【０１９４】
本発明に係る電子装置は、電子装置１００、電子装置２００、及び電子装置３００のいずれか１つ以上を用いて実施できる。
【０１９５】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【０１９６】
【図１】本発明の基準電位取得構造を備えた電子装置の一実施形態を示す斜視図及び上面図である。
【図２】ソフトウェア制御を実現するための出力装置のハードウェア構成の一例を表す図である。
【図３】電子装置の一例を表す断面図である。
【図４】出力装置の一例を表す斜視図である。
【図５】表示装置の一例を表す正面図及び断面図である。
【図６】係合部材の一構成例を説明するための図である。
【図７】係合部材の他例を表す正面図、側面図、及び断面図である。
【図８】図３に示すＡ部の部分拡大図及び断面図である。
【図９】実施例２における電子装置の一構成例を表す斜視図である。
【図１０】実施例２における電子装置の一例を表す断面図である。
【図１１】実施例２における出力装置の一例を表す斜視図である。
【図１２】実施例２における表示装置の一例を表す背面図及び断面図である。
【図１３】図１０に示すＡ２部の部分拡大図及び断面図である。
【図１４】実施例３における電子装置の一構成例を表す斜視図である。
【図１５】実施例３における電子装置の一例を表す断面図である。
【図１６】図１５に示すＡ３部の部分拡大図及び断面図である。
【符号の説明】
【０１９７】
１００…電子装置                  １０００…出力装置（本体部）      
１００１…演算部                  １００２…ＲＯＭ                  
１００３…ＲＡＭ                  １００４…外部記憶部              
１００５…バス                    １１００…フレーム                
１２００…パネル部                １２１１，１２２０…長孔          
２００…電子装置                  ２０００…表示装置（傾動部）      
２１００…表示部                  ２２００…フレーム                
２３００，２３０１…支持部材（支持手段）
２４００，２４０１…係合部材（係合手段）
２４１０〜２４６０，２４１１〜２４６１…回転体（回転手段）
２４１５〜２４６５，２４１６〜２４６６…穴            
２４９０，２４９１…孔            ２５００…裏板                    
２６００…回路基板                ２７００…ＴＦＴユニット（電子回路）
２９００，２９０１…係合部材（係合手段）
２９１０，２９１１…回転体（回転手段）
２９７０，２９７１…開口部        
２９８０，２９８１…押付部材（押付手段）
２９９０，２９９１…支柱部        ３００…電子装置                  
３１１０，３１１１…接続板                  
３１２０，３１２１…誘導溝（誘導手段）
３１３０，３１３１…受止部材（誘導手段）
３２００…ケーブル                
３３００，３３０１……移動部材（被支持手段）
３３１０，３３１１，３３２０，３３２１…誘導孔
３３５０，３３５１…回動孔        ３９１０，３９１１…板止          
３９５０，３９５１，３９６０，３９６１…誘導軸
４０００…出力装置（本体部）      ４１００…フレーム                
４２００…パネル部                ４２１０，４２１１，４２２０…長孔
５０００…表示装置（傾動部）      ５１００…表示部                  
５２００…フレーム                
５３００，５３０１…支持部材（支持手段）
５４００，５４０１…係合部材（係合手段）
５５００…裏板                    ５６００…回路基板                
５７００…ＴＦＴユニット（電子回路）
６１１０，６１１１…接続板        
６１２０，６１２１…誘導溝（誘導手段）
６１３０，６１３１…受止部材（誘導手段）
６２００…ケーブル                
６３００，６３０１……移動部材（被支持手段）
６３１０，６３１１，６３２０，６３２１…誘導孔
６３５０，６３５１…回動孔        ６９１０，６９１１…板止          
６９５０，６９５１，６９６０，６９６１…誘導軸
７０００…出力装置（本体部）      ７１００…フレーム                
７２００…パネル部                ７２１０，７２１１…溝            
８０００…表示装置（傾動部）      ８１００…表示部                  
８２００…フレーム                
８３００，８３０１…支持部材（支持手段）
８４００，８４０１…係合部材（係合手段）
８４１０，８４１１…ナット        
９１１０，９１１１…接続板        
９１２０，９１２１…誘導溝（誘導手段）
９１４０，９１４１…誘導部材（誘導手段）
９２００…ケーブル                
９３００，９３０１…移動部材（被支持手段）
９３１０，９３１１，９３２０，９３２１…誘導孔
９３５０，９３５１…回動孔        ９９１０，９９１１…板止  
９９５０，９９５１，９９６０，９９６１…誘導軸        
【図１】
2008300811.tif 000003
【図２】
2008300811.tif 000004
【図３】
2008300811.tif 000005
【図４】
2008300811.tif 000006
【図５】
2008300811.tif 000007
【図６】
2008300811.tif 000008
【図７】
2008300811.tif 000009
【図８】
2008300811.tif 000010
【図９】
2008300811.tif 000011
【図１０】
2008300811.tif 000012
【図１１】
2008300811.tif 000013
【図１２】
2008300811.tif 000014
【図１３】
2008300811.tif 000015
【図１４】
2008300811.tif 000016
【図１５】
2008300811.tif 000017
【図１６】
2008300811.tif 000018